(57)【要約】      （修正有）【課題】側面に対して、複雑な模様や文字を付したボタンを提供する。【解決手段】基部ボタン１６と表面部材１１からなり、前記表面部材１１は上面１２と側面１４を有し、前記側面１４に文字や模様１３が付されていることを特徴とするボタンである。金属板に文字や模様１３を刻印する工程、加工台の上にのせ、打ち抜き、押し出しと深絞りを行って、上面１２と側面１４を有する表面部材１１を形成する工程、及び前記表面部材１１を基部ボタン１６にかぶせてかしめる工程、により得られる。【選択図】図２
2008295846.tif 000002
【特許請求の範囲】
【請求項１】
基部ボタン（１６）と表面部材（１１）からなり、前記表面部材（１１）は上面（１２）と側面（１４）を有し、前記側面（１４）に文字や模様（１３）が付されていることを特徴とするボタン。
【請求項２】
前記基部ボタン（１６）と前記表面部材（１１）の間に中座（１５）を介在させた請求項１記載のボタン。
【請求項３】
基部ボタン（１６）と表面部材（１１）からなり、前記表面部材（１１）は上面（１２）と側面（１４）を有し、前記側面（１４）に文字や模様（１３）が付されているボタンの製法であって、
金属板（８）に文字や模様（１３）を刻印する工程、
前記金属板（８）を加工台（９）の上にのせ、打ち抜き、押し出しと深絞りを行って、前記表面部材（１１）を形成する工程、及び
前記表面部材（１１）を基部ボタン（１６）にかぶせてかしめる工程、
を有することを特徴とするボタンの製法。
【発明の詳細な説明】
【技術分野】
【０００１】
本発明は、側面に文字・模様を有するボタン及びその製法に関する。
【背景技術】
【０００２】
衣服用ボタンでは、人目に触れやすい上表面に文字や模様を有するものが多い。側面に文字や模様を有するボタンは、本発明者が知る限り、知られていない。メダルや硬貨であれば、側面にギザギザ模様を設けた５０円硬貨や１００円硬貨などが周知である（例えば、下記特許文献１参照）。
【特許文献１】特開２００６−１３６４１０
【発明の開示】
【発明が解決しようとする課題】
【０００３】
従って、ボタンでも鋳造のときに側面に簡単な模様を付けることは容易に考えられる。しかし、少量多品種が求められる衣服用のボタンでは、多数の金型を用意するのは非常に不経済であり、価格を上昇させる原因となる。また、鋳造では、文字や複雑な模様を付けるのは困難であると共に、重量が重くなる。
【０００４】
本発明は、安価に、しかもギザギザのような簡単な模様ではなく、複雑な模様や文字を側面に付したボタンを提供することを目的とする。本発明は更にそのようなボタンの製法も提供する。
【課題を解決するための手段】
【０００５】
本発明のボタンは、基部ボタンと表面部材からなり、前記表面部材は上面と側面を有し、前記側面に文字や模様が付されていることを特徴とする。
【０００６】
本発明のボタンの製法は、基部ボタンと表面部材からなり、前記表面部材は上面と側面を有し、前記側面に文字や模様が付されているボタンの製法であって、金属板に文字や模様を刻印する工程、前記金属板を加工台の上にのせ、打ち抜き、押し出しと深絞りを行って、前記表面部材を形成する工程、及び前記表面部材を基部ボタンにかぶせてかしめる工程、を有することを特徴とする。
【発明の効果】
【０００７】
本発明のボタンは、側面に文字や模様が付されているので、今までにない視覚的効果が得られる。しかも、鋳造ではなく、表面部材を使用するので、安価に、しかも複雑な模様付きのボタンを製造することができる。
【発明を実施するための最良の形態】
【０００８】
本発明が対象とするボタンは、側面が比較的に厚く、文字や模様を付することができるものであればよく、種類を問わない。例えば、後記する実施例に示すように、生地に対して裏側から固定部材を打ち込んで固定するネオバボタン、飾り表面部材を有する雌雄スナップボタン、リング状脚部を生地に糸付けするボタン、ボタンホールを有する糸付けボタンなどに使用可能である。側面の厚みは、十分な視覚的効果を与えるためには少なくとも１．５ｍｍ程度はあった方がよい。しかし、５ｍｍを超えるとボタンとしては使いづらいものとなる。一般的に、２ｍｍ〜３ｍｍ程度がもっとも好ましい。
【０００９】
本発明で使用する基部ボタンは、従来のものをそのまま使用することができる。ボタン内部に隠れてしまうので、時代遅れになったボタンのリサイクル使用も可能である。
【００１０】
従来の基部ボタンを使用して十分な厚みが出ないときには、厚みを増すための中座を１枚またはそれ以上使用することができる。素材は金属板又は合成樹脂板を使用することができる。合成樹脂を使用すれば、見掛けの割に軽量のボタンが得られる。
【００１１】
表面部材は、刻印しやすく、打ち抜きも容易で、しかも美しい光沢を有する素材が好ましく、例えば、真鍮を使用することができる。ボタンの側面に文字や模様を表すために、ボタンの上面相当部分に隣接してリング状に刻印する必要がある。
【実施例１】
【００１２】
以下、添付の図面に基づき、本発明の実施例を説明する。
【００１３】
図１（ａ）〜（ｄ）は本発明による側面に文字を有するボタンの例である。（ａ）は生地２に対して裏側から固定部材３を打ち込んで固定するネオバボタン１、（ｂ）は飾り表面部材１Ａを有する雌雄スナップボタン４，５、（ｃ）はリング状脚部６を生地に糸付けするボタン１Ｂ、（ｄ）はボタンホール７を有する糸付けボタン１Ｃである。このように、本発明では、側面が比較的に厚く、文字や模様を付することができるものであれば、ボタンの種類を問わない。
【００１４】
図２は、図１（ａ）のネオバボタン１の分解斜視図である。上面１２と、文字１３を有する側面１４からなる表面部材１１、中座１５、脚部１７を有する基部ボタン１６からなる上側要素が生地２に対して取り付けられ、生地の裏側から係合突起３１を有する固定部材３により固定されている。
【００１５】
このうち、中座１５は、厚みを出すために挿入される金属板又は合成樹脂板で、基部ボタン１６に十分な厚みがあれば用いる必要がないものである。基部ボタン１６及び固定部材３は従来のものと同じである。従って、本発明にとって特徴的なのは表面部材１１だけといってもよい。
【００１６】
図３は、その表面部材１１の製造工程を示す斜視図である。第１工程では、文字や模様１３を金属板８に刻印する。ボタンの側面１４に文字や模様を表すために、ボタンの上面１２相当部分に隣接してリング状に刻印する必要がある。第２工程では、その金属板８を加工台９の上にのせ、打ち抜き、押し出しと深絞りを行って、上面１２と側面１３を有する表面部材１１を形成する。
【００１７】
この表面部材１１を、図２に示すように、基部ボタン１６及び中座１５の上にかぶせて、側面１４の文字や模様がが見えるように、かしめることにより、図１（ａ）に示すようなネオバボタン１が得られる。
【００１８】
なお、図３では、前記第１工程は小さな金属板８を使用しているが、大量に製造するときには大きな金属板から連続的に刻印と打ち出しを行うのが普通である。また、図１〜３では、本発明の特徴を際だたせるために上面に文字や模様を付していないが、実際には、側面だけでなく、上面にも文字や模様が付けられることが多い。
【図面の簡単な説明】
【００１９】
【図１】（ａ）〜（ｄ）は本発明による側面に文字を有するボタンの例である。
【図２】図１（ａ）のネオバボタンの分解斜視図である。
【図３】表面部材の製造工程を示す斜視図である。
【符号の説明】
【００２０】
１     ネオバボタン
１Ｂ   リング状脚部を生地に糸付けするボタン
１Ｃ   ボタンホールを有するボタン
１Ａ   スナップボタンの表面部材
２     生地
３     固定部材
４，５ 雌雄スナップボタン
６     リング状脚部
７     ボタンホール
８     金属板
９     加工台
１１   表面部材
１２   上面
１３   側面
１３   文字
１３   模様
１４   側面
１５   中座
１６   基部ボタン
１７   脚部
３１   係合突起
【図１】
2008295846.tif 000003
【図２】
2008295846.tif 000004
【図３】
2008295846.tif 000005